(57)【要約】【課題】排水機能に優れ、製造および取付作業が容易な建物の外壁構造を提供することである。【解決手段】外壁１００は、開口部１１０を有する外壁下地材１２０と、開口部１１０の上部に設けられる胴縁１３０と、開口部１１０の左側に設けられる左部取付片と、開口部１１０の右側に設けられる右部取付片と、サイディング材１６０と、サイディング材１６０を外壁下地材１２０に固定するためのサイディング取付具１７０と、を備えて構成されている。【選択図】図２
2009108498.tif 000002
【特許請求の範囲】
【請求項１】
外壁下地材と、この外壁下地材の上に設けられたサイディング材とを有し、開口部が形成された建物の外壁構造であって、
開口部の上部の外壁下地材とサイディング材との間に胴縁を設け、
この胴縁の上面に排水溝を形成する
ことを特徴とする建物の外壁構造。
【請求項２】
請求項１に記載の建物の外壁構造において、
前記胴縁は、合成樹脂で形成されている
ことを特徴とする建物の外壁構造。
【請求項３】
請求項１または請求項２に記載の建物の外壁構造において、
前記胴縁は、長尺状に形成されるとともに、断面略矩形状の本体を備え、
前記排水溝は、前記胴縁の互いに対向する一対の面にそれぞれ形成されている
ことを特徴とする建物の外壁構造。
【請求項４】
請求項１から請求項３のいずれかに記載の建物の外壁構造において、
前記胴縁と同じ合成樹脂製かつ同じ厚み寸法の長尺状の取付片が、前記開口部を挟んだ両側にそれぞれ配置され、
これらの取付片に前記サイディング材を取り付ける
ことを特徴とする建物の外壁構造。
【発明の詳細な説明】
【技術分野】
【０００１】
本発明は、開口部を備えた外壁を有する建物の外壁構造に関する。
【背景技術】
【０００２】
従来、サイディング材は、サイディング取付金物によって外壁下地材に取り付けられている（例えば、特許文献１）。
サイディング材が取り付けられた外壁には、サッシ窓等の開口部が形成されているものがある。このような外壁においては、雨水が外壁下地材を伝って開口部に侵入しないようにするため、サイディング材同士をシールしたり、開口部に設けられたサッシ窓等とサイディング材とをシールするなどしている。
【０００３】
【特許文献１】特開２００６−２９１５３２号公報
【発明の開示】
【発明が解決しようとする課題】
【０００４】
しかしながら、シール材をサイディング材やサッシ窓等に取り付けるには作業が煩雑となり、効率が悪い。
そこで、本発明の目的は、排水機能に優れ、製造および取付作業が容易な建物の外壁構造を提供することである。
【課題を解決するための手段】
【０００５】
本発明の建物の外壁構造は、外壁下地材１２０と、この外壁下地材１２０の上に設けられたサイディング材１６０とを有し、開口部１１０が形成された建物の外壁構造であって、開口部１１０の上部の外壁下地材１２０とサイディング材１６０との間に胴縁１３０を設け、この胴縁１３０の上面１３１Ａに排水溝１３２を形成することを特徴とする。
【０００６】
このような本発明では、サイディング材１６０等から雨水が侵入した場合、開口部１１０の上部に設けられた胴縁１３０によって排水することができる。また、胴縁１３０の対向する一対の面１３１のうち上面１３１Ａに排水溝１３２が形成されているので、効率よく排水することができる。
したがって、雨水が開口部１１０から建物内部に侵入することを確実に防止することができる。
また、胴縁１３０は製造および取付作業が容易であるので、本発明である建物の外壁構造を容易に形成することができる。
【０００７】
本発明の建物の外壁構造において、前記胴縁１３０は、合成樹脂で形成されていることが好ましい。
ここで、胴縁１３０を形成する合成樹脂として、例えば、ポリウレタン等が挙げられる。
この発明によれば、合成樹脂製の胴縁１３０が外壁下地材１２０と密着するので、胴縁１３０と外壁下地材１２０との間から雨水が侵入することがない。したがって、雨水が開口部１１０に侵入することを確実に防止することができる。
【０００８】
本発明の建物の外壁構造において、前記胴縁１３０は、長尺状に形成されるとともに、断面略矩形状の本体を備え、前記排水溝１３２は、前記胴縁１３０の互いに対向する一対の面１３１にそれぞれ形成されていることが好ましい。
この発明によれば、胴縁１３０の形状が長尺状で断面略矩形状になっていることにより、製造が容易である。また、排水溝１３２も、射出成形等により一回の工程で形成することができるので作業効率が良い。
さらに、取付作業においては、長尺状に形成された胴縁１３０を開口部１１０の上部に釘等で固定するだけでよい。排水溝１３２が胴縁の互いに対向する一対の面１３１（上面１３１Ａおよび下面１３１Ｂ）に形成されているので、上面１３１Ａと下面１３１Ｂの区別なく胴縁１３０を取り付けることができる。したがって、取付作業を効率よく簡単に行うことができる。
【０００９】
本発明の建物の外壁構造において、前記胴縁１３０と同じ合成樹脂製かつ同じ厚み寸法の長尺状の取付片１４０、１５０が、前記開口部１１０を挟んだ両側にそれぞれ配置され、これらの取付片１４０、１５０に前記サイディング材１６０を取り付けることが好ましい。
この発明によれば、開口部１１０の左右に、取付片１４０、１５０として、前述と同様の胴縁が取り付けられているので、開口部１１０の上部、左右の胴縁で形成される同一面内でサイディング材１６０を取り付けることができ、作業性が良好である。
【発明を実施するための最良の形態】
【００１０】
以下、本発明の実施形態を図面に基づいて説明する。
図１は、本発明の実施形態における建物の外壁構造の平面図、図２は、サイディング材の取り付け構造を示す縦断面図である。
図１および図２に示すように、外壁１００は、開口部１１０を有する外壁下地材１２０と、開口部１１０の上部に設けられる胴縁１３０と、開口部１１０の左側に設けられる左部取付片１４０と、開口部１１０の右側に設けられる右部取付片１５０と、サイディング材１６０と、サイディング材１６０を外壁下地材１２０に固定するためのサイディング取付具１７０と、を備えて構成されている。
【００１１】
外壁下地材１２０は、例えば、木材等で形成された合板製とされ、開口部１１０にはサッシ窓２００が取り付けられている。
胴縁１３０は、断面略矩形状の長尺状に形成され、図２に示すように、互いに対向する一対の面１３１（上面１３１Ａおよび下面１３１Ｂ）には断面略円弧状で長尺状に形成された排水溝１３２を有している。排水溝１３２は、水が流れる程度の深さがあればよいのでその深さは限定されない。例えば、最も深い部分で３．５ｍｍ程度とすることができる。また、胴縁１３０の端面１３０Ａおよび１３０Ｂにも図示しない溝が形成されている。
【００１２】
左部取付片１４０および右部取付片１５０は、胴縁１３０と同じ合成樹脂からなる胴縁であり、断面略矩形状の長尺状に形成されているが、排水溝は有していない。
これらの胴縁１３０、左部取付片１４０および右部取付片１５０は、ポリウレタン、ポリプロピレン、ポリエチレン、ポリスチレン等の樹脂製であり、工場で予め生産される。工場では、例えば、押出製法等により製造することができる。
【００１３】
サイディング材１６０は、外壁１００の外装であり、セメント製、金属製、または木製のものを使用することができる。
サイディング取付具１７０は、外壁下地材１２０にサイディング材１６０を取り付けるための部材で、金具であったり、胴縁などで形成されたりしている。サイディング取付具１７０は、釘１７１で外壁下地材１２０に固定され、サイディング材１６０と係合するための係合部１７２を有している。一方、サイディング材１６０の裏面１６０Ａには、この係合部１７２と係合するための係合部１６１が形成されている。したがって、サイディング取付具１７０の係合部１７２と、サイディング材１６０の係合部１６１とが係合することにより、サイディング材１６０が外壁下地材１２０に固定される。
【００１４】
次に、胴縁１３０、左部取付片１４０および右部取付片１５０を取り付ける方法について説明する。
これら胴縁１３０、左部取付片１４０および右部取付片１５０は、開口部１１０の周囲を取り囲むように配置される。
具体的には、左部取付片１４０は、開口部１１０の左辺１１２と略平行に配置され、左部取付片１４０の上端１４０Ａは左辺１１２の上端１１２Ａよりも低い位置にある。
右部取付片１５０は、開口部１１０の右辺１１３と略平行に配置され、右部取付片１５０の上端１５０Ａは右辺１１３の上端１１３Ａよりも低い位置にある。
【００１５】
胴縁１３０は、開口部１１０の上辺１１１と略平行に配置される。胴縁１３０は、開口部１１０の上辺１１１よりも長く、さらには、外壁下地材１２０に取り付けられた左部取付片１４０および右部取付片１５０よりも左右に突出する程度の長さを有している。また、胴縁１３０は、上面および下面に排水溝１３２が位置するように外壁下地材１２０に取り付けられる。
左部取付片１４０および右部取付片１５０と、胴縁１３０との間にはそれぞれ隙間が形成されるが、左部取付片１４０の上端１４０Ａおよび右部取付片１５０の上端１５０Ａが胴縁１３０の下面に接していてもよい。
【００１６】
また、これら胴縁１３０、左部取付片１４０および右部取付片１５０は、サイディング取付具１７０と同等かそれ以上の厚みを有している。例えば、１２ｍｍ、１５ｍｍ、１８ｍｍ等とすることができるが、使用する胴縁１３０、左部取付片１４０および右部取付片１５０の厚みに応じて適宜調製すればよい。
ただし、これら胴縁を押さえつけることでサイディング取付具１７０と同等の厚みになる程度であることが好ましい。サイディング取付具１７０の厚みよりも厚くなると、サイディング材１６０を取り付ける際に、サイディング材１６０とサイディング取付具１７０との間に空隙が形成されるために、サイディング材１６０とサイディング取付具１７０とを確実に係合させることができない。
【００１７】
これら胴縁１３０、左部取付片１４０および右部取付片１５０は、開口部１１０の周縁を取り囲むように配置されればよいが、開口部１１０にサッシ窓２００が取り付けられることを考慮して、例えば、開口部１１０の上辺１１１、左辺１１２、右辺１１３から５ｃｍ程度離れた位置に取り付けられる。この位置は、サッシ窓２００の形状等に応じて必要なスペースを確保できればよい。
また、胴縁１３０は、サイディング取付具１７０よりも開口部１１０側に位置するように配置される。
【００１８】
なお、胴縁１３０、左部取付片１４０および右部取付片１５０は、外壁下地材１２０に釘１３３、１４３、１５３でそれぞれ固定される。釘打ち位置は、使用する胴縁の幅および長さ寸法に対応して所定寸法に設定されている。また、各胴縁の両端部では、端部に近い位置に設定される。
【００１９】
以上のように、所定の位置に取り付けられた胴縁１３０、左部取付片１４０および右部取付片１５０にサイディング材１６０を押し付けるとともに、サイディング材１６０をサイディング取付具１７０に係合させ、サイディング材１６０と胴縁１３０、左部取付片１４０および右部取付片１５０と、外壁下地材１２０に釘１６２を打ち込むことによって、サイディング材１６０が外壁下地材１２０に固定される。
【００２０】
なお、サッシ窓２００は、その上端に設けられた取付部２１０が、釘等で外壁下地材１２０の開口部１１０に取り付けられる。また、サッシ窓２００とサイディング材１６０との間に樹脂等を充填する。これらにより、サッシ窓２００が外壁下地材１２０とサイディング材１６０とに固定される。  
【００２１】
以上に述べた本実施形態においては次に示す効果を奏することができる。
（１）本実施形態では、外壁１００に形成された開口部１１０の上部に、胴縁１３０を設けたので、外壁下地材１２０とサイディング材１６０との間を流れてきた雨水が開口部１１０へ侵入することを防止することができる。
また、胴縁１３０には排水溝１３２が形成され、胴縁１３０の端面１３０Ａおよび１３０Ｂは、左部取付片１４０および右部取付片１５０よりも突出して配置されている。これにより、外壁下地材１２０とサイディング材１６０との間を流れてきた雨水は胴縁１３０の排水溝１３２を伝って開口部１１０の枠外に流出される。したがって、雨水を開口部１１０の枠外に効率よく流出させることができ、開口部１１０への雨水の侵入を確実に防止することができる。
【００２２】
（２）また、胴縁１３０はポリウレタン等の樹脂で形成されている。ポリウレタンは弾性があるため、サイディング材１６０で押さえつけることによってより密着性が増す。すなわち、胴縁１３０が外壁下地材１２０およびサイディング材１６０とより密着するので、胴縁１３０と外壁下地材１２０との間、もしくは胴縁１３０とサイディング材１６０との間から雨水が漏れることがない。したがって、雨水の開口部１１０への侵入を確実に防止することができる。
また、胴縁１３０は、射出成形等で容易に製造することができ、外壁下地材１２０には釘で簡単に取り付けることができる。すなわち、作業性が良好である。
【００２３】
（３）本実施形態では、断面略矩形状に形成された胴縁１３０の互いに対向する一対の面１３１の両方の面に排水溝１３２を形成しているので、上下の向きを区別することなく、胴縁１３０を外壁下地材１２０に取り付けることができる。したがって、取り付け時の作業性が良好となる。
【００２４】
（４）そして、開口部１１０の左側および右側に左部取付片１４０と右部取付片１５０として、胴縁１３０と同じ厚みの胴縁を設けた。これにより、胴縁１３０、左部取付片１４０および右部取付片１５０を同一面内でサイディング材１６０を取り付けることができるので、作業性が良好となる。
【００２５】
なお、本発明は前述の実施形態に限定されるものではなく、本発明の目的を達成できる範囲での変形、改良等は本発明に含まれるものである。
例えば、前記実施形態においては、胴縁１３０と、左部取付片１４０および右部取付片１５０とを離して配置したが、左部取付片１４０および右部取付片１５０の端部を延長して胴縁１３０に密着させてもよい。このような構成であれば、開口部１１０の周囲を胴縁により完全に取り囲むので、雨水の開口部１１０への侵入を確実に防止することができる。
【産業上の利用可能性】
【００２６】
本発明は、開口部を備えた外壁を有する建物の外壁構造として利用できる。
【図面の簡単な説明】
【００２７】
【図１】本発明の一実施形態にかかる建物の外壁構造の平面図。
【図２】本発明の一実施形態にかかるサイディング材の取り付け構造を示す縦断面図。
【符号の説明】
【００２８】
１００      外壁
１１０      開口部
１２０      外壁下地材
１３０      胴縁
１４０      左部取付片
１５０      右部取付片
１６０      サイディング材
１７０      サイディング取付具
【図１】
2009108498.tif 000003
【図２】
2009108498.tif 000004